(57)【要約】【課題】  操作性に優れた携帯機器を提供する。【解決手段】  携帯電話機１は、外側に露出する表面２ａを有し、表面２ａに表示部１０が設けられた筐体２と、筐体２に向い合う方向に面する表面３ｂを有し、表面３ｂにメール機能操作部２１およびカメラ機能操作部２４が別々に設けられ、筐体２に対して摺動自在に取り付けられた筐体３とを備える。筐体３を筐体２に対して所定の方向に摺動させると、筐体３は、メール機能操作部２１およびカメラ機能操作部２４が筐体２に隠れた第１の状態から、メール機能操作部２１が外側に露出し、カメラ機能操作部２４が筐体２に隠れる第２の状態へと変化する。筐体３を筐体２に対して所定の方向とは反対方向に摺動させると、筐体３は、第１の状態から、カメラ機能操作部２４が外側に露出し、メール機能操作部２１が筐体２に隠れる第３の状態へと変化する。【選択図】        図８
2005286813.tif 000002
【特許請求の範囲】
【請求項１】
外側に露出する第１の表面を有し、前記第１の表面に表示部が設けられた第１の筐体と、
前記第１の筐体に向い合う方向に面する第２の表面を有し、前記第２の表面に第１および第２の操作部が別々に設けられ、前記第１の筐体に対して摺動自在に取り付けられた第２の筐体とを備え、
前記第２の筐体を前記第１の筐体に対して所定の方向に摺動させると、前記第２の筐体は、前記第１および第２の操作部が前記第１の筐体に隠れた第１の状態から、前記第１の操作部が外側に露出し、前記第２の操作部が前記第１の筐体に隠れる第２の状態へと変化し、
前記第２の筐体を前記第１の筐体に対して前記所定の方向とは反対方向に摺動させると、前記第２の筐体は、前記第１の状態から、前記第２の操作部が外側に露出し、前記第１の操作部が前記第１の筐体に隠れる第３の状態へと変化する、携帯機器。
【請求項２】
前記第２の表面は、一方端と他方端とを含み、前記第１および第２の操作部は、前記一方端および前記他方端にそれぞれ配置されている、請求項１に記載の携帯機器。
【請求項３】
前記第２の表面には、前記一方端に位置してマイクが設けられている、請求項２に記載の携帯機器。
【請求項４】
前記第２の筐体が前記第２および第３の状態に位置決めされた時、前記表示部は、前記第１および第２の操作部によって操作される所定の画面にそれぞれ切り替わる、請求項１から３のいずれか１項に記載の携帯機器。
【請求項５】
前記第１の表面には、少なくとも前記第１の状態で操作可能な第３の操作部が設けられている、請求項１から４のいずれか１項に記載の携帯機器。
【請求項６】
前記第１および第２の筐体の少なくともいずれか一方の表面には、凹凸形状が形成されている、請求項１から５のいずれか１項に記載の携帯機器。
【請求項７】
前記第１および第２の筐体には、前記第２の筐体を前記第１から第３の状態のそれぞれの状態に保持するロック機構が設けられている、請求項１から６のいずれか１項に記載の携帯機器。
【請求項８】
前記第２の状態では、前記第１の操作部によって電話機能およびメール機能の少なくともいずれか一方が操作され、前記第３の状態では、前記第２の操作部によってカメラ機能が操作される、請求項１から７のいずれか１項に記載の携帯機器。
【請求項９】
前記第１の表面は、短辺と長辺とを有する略矩形形状に形成されており、
前記第２の状態では、前記短辺が延びる方向と水平方向とが一致する場合に正常に認識されるように、前記表示部に所定の画面が表示され、前記第３の状態では、前記長辺が延びる方向と水平方向とが一致する場合に正常に認識されるように、前記表示部に所定の画面が表示される、請求項８に記載の携帯機器。
【発明の詳細な説明】
【技術分野】
【０００１】
この発明は、一般的には、携帯機器に関し、より特定的には、２つの筐体を備える携帯機器に関する。
【背景技術】
【０００２】
近年、携帯機器の多機能化が進んでおり、たとえば、電話機能、メール機能およびカメラ機能を備えた携帯電話機が普及している。折り畳み可能に連結された２つの筐体からなるクラムシェルタイプの携帯電話機の場合、一般的には、一方の筐体に表示部が設けられ、他方の筐体に操作部が設けられている。また、カメラは、２つの筐体のいずれか一方に設けられている。
【０００３】
また別に、撮像手段が収納された第１の筐体と、第１の筐体の裏面側に摺動可能に取り付けられた第２の筐体とを備える電子カメラ装置が、特開平１１−３５５６２１号公報に開示されている（特許文献１）。さらに、ポケット形状を有する装置ケーシングと、装置ケーシングの収容部に収容され、引き出し可能な電話部とを備える通信装置が、特開平８−２８８９８８号公報に開示されている（特許文献２）。
【０００４】
さらに、撮像部材および表示モニタを有するカメラ本体部と、カメラ本体部に沿ってスライド自在に支持されたカバーとを備えたデジタルスチルカメラが、特開２００３−１４９７０８号公報に開示されている（特許文献３）。さらに、カメラボディと、カメラボディに対して摺動自在に支持されたスライドカバーとを備えるカメラが、特開平９−１９７４７９号公報に開示されている（特許文献４）。
【０００５】
さらに、本体ケースと、本体ケースに上下摺動自在に取り付けられ、本体ケースに設けられたレンズを保護するためのカバーとを備える電子カメラが、特開２０００−３３２８７１号公報に開示されている（特許文献５）。
【特許文献１】特開平１１−３５５６２１号公報
【特許文献２】特開平８−２８８９８８号公報
【特許文献３】特開２００３−１４９７０８号公報
【特許文献４】特開平９−１９７４７９号公報
【特許文献５】特開２０００−３３２８７１号公報
【発明の開示】
【発明が解決しようとする課題】
【０００６】
上述のクラムシェルタイプの携帯電話機では、他方の筐体に設けられた操作部を用いて、備える３つの機能の全てが操作される。このため、操作部に設けられた各操作ボタンは、携帯電話機の使用状態に合わせて複数の役割を果たしている。したがって、同じ操作ボタンであってもその機能は携帯電話機の使用状態によって変化し、このことが携帯電話機の操作を難しくする原因となっている。
【０００７】
また、一方の筐体に設けられた表示部には、３つの機能時に使用される画面表示が全て表示されるため、ユーザーは、まず、携帯電話機の使用状態に合わせて表示部の画面表示を切り替える必要がある。このこともまた、携帯電話機の操作を難しくし、複雑にしている原因となっている。
【０００８】
そこでこの発明の目的は、上記の課題を解決することであり、操作性に優れた携帯機器を提供することである。
【課題を解決するための手段】
【０００９】
この発明に従った携帯機器は、第１の筐体と、第１の筐体に対して摺動自在に取り付けられた第２の筐体とを備える。第１の筐体は、外側に露出する第１の表面を有する。第１の表面には、表示部が設けられている。第２の筐体は、第１の筐体に向い合う方向に面する第２の表面を有する。第２の表面には、第１および第２の操作部が別々に設けられている。第２の筐体を第１の筐体に対して所定の方向に摺動させると、第２の筐体は、第１および第２の操作部が第１の筐体に隠れた第１の状態から、第１の操作部が外側に露出し、第２の操作部が第１の筐体に隠れる第２の状態へと変化する。第２の筐体を第１の筐体に対して所定の方向とは反対方向に摺動させると、第２の筐体は、第１の状態から、第２の操作部が外側に露出し、第１の操作部が第１の筐体に隠れる第３の状態へと変化する。
【００１０】
このように構成された携帯機器によれば、携帯機器の使用状態に合わせて第２の筐体を適当な方向に摺動させ、第１、第２および第３の各状態に位置決めする。この際、第２および第３の各状態で使用される操作部は、第２の表面に別々に設けられた第１および第２の操作部に振り分けられているため、ユーザーは、各状態にあった正しい操作を混乱せず行なうことができる。また、第２および第３の各状態において、使用されない操作部は第１の筐体に隠れるため、ユーザーが誤った操作部で操作を試みるということがない。これらの理由から、携帯機器の操作性を向上させることができる。また、第２の筐体は、第１の筐体に対して摺動自在に取り付けられているため、比較的簡易な機構で両者を接続することができる。
【００１１】
また好ましくは、第２の表面は、一方端と他方端とを含む。第１および第２の操作部は、一方端および他方端にそれぞれ配置されている。このように構成された携帯機器によれば、携帯機器を、第１の状態から第１および第２の操作部がそれぞれ露出した第２および第３の状態まで変化させる際に、第２の操作部を摺動させる距離を小さくすることができる。これにより、携帯機器の操作性をさらに向上させるとともに、携帯機器の小型化を図ることもできる。
【００１２】
また好ましくは、第２の表面には、一方端に位置してマイクが設けられている。このように構成された携帯機器によれば、第２の表面の一方端が露出する第２の状態においてマイクを使用することができる。これにより、第２の状態における携帯機器の利用範囲を広げることができる。
【００１３】
また好ましくは、第２の筐体が第２および第３の状態に位置決めされた時、表示部は、第１および第２の操作部によって操作される所定の画面にそれぞれ切り替わる。このように構成された携帯機器によれば、ユーザーは、第２の筐体を摺動させて第２および第３の状態に位置決めした後、各状態にあった画面に表示部をわざわざ切り替える必要がない。このため、ユーザーは、第２の筐体を摺動させた後、スムーズに第１または第２の操作部を用いた操作に移ることができる。
【００１４】
また好ましくは、第１の表面には、少なくとも第１の状態で操作可能な第３の操作部が設けられている。このように構成された携帯機器によれば、第１の状態であっても、第３の操作部を用いて携帯機器を操作することができる。この際、第１の状態では、第１および第２の操作部が第１の筐体に隠れているため、コンパクトな状態で携帯機器を使用することができる。このため、携帯機器の使い勝手を向上させることができる。また、携帯機器は、通常コンパクトな第１の状態で持ち歩かれるため、ユーザーは、携帯機器を素早く使用することができる。
【００１５】
また好ましくは、第１および第２の筐体の少なくともいずれか一方の表面には、凹凸形状が形成されている。このように構成された携帯機器によれば、凹凸形状を、第２の筐体を摺動させる際のグリップ部分に配置することによって、ユーザーは、指を滑らせることなく第２の筐体を摺動させることができる。
【００１６】
また好ましくは、第１および第２の筐体には、第２の筐体を第１から第３の状態のそれぞれの状態に保持するロック機構が設けられている。このように構成された携帯機器によれば、第２の筐体が、第１、第２および第３の各状態から位置ずれを起こすことがない。このため、携帯機器に使い勝手をさらに向上させることができる。
【００１７】
また好ましくは、携帯機器は、第２の状態では、第１の操作部によって電話機能およびメール機能の少なくともいずれか一方が操作され、第３の状態では、第２の操作部によってカメラ機能が操作される。このように構成された携帯機器によれば、携帯機器が、電話機能、メール機能およびカメラ機能を備える場合に、上述のいずれかの効果を得ることができる。
【００１８】
また好ましくは、第１の表面は、短辺と長辺とを有する略矩形形状に形成されている。第２の状態では、短辺が延びる方向と水平方向とが一致する場合に正常に認識されるように、表示部に所定の画面が表示される。第３の状態では、長辺が延びる方向と水平方向とが一致する場合に正常に認識されるように、表示部に所定の画面が表示される。このように構成された携帯機器によれば、ユーザーは、第２の状態では、携帯機器を片手で把持したまま、第１の操作部によって電話機能およびメール機能の少なくともいずれか一方を操作することができる。また、ユーザーは、第３の状態では、携帯機器を両手で把持して、第２の操作部によってカメラ機能を操作することができる。このように、各機能を操作する際の事情にあった態様で携帯機器を把持できるため、携帯機器の操作性をさらに向上させることができる。
【発明の効果】
【００１９】
以上説明したように、この発明に従えば、操作性に優れた携帯機器を提供することができる。
【発明を実施するための最良の形態】
【００２０】
この発明の実施の形態について、図面を参照して説明する。
【００２１】
（実施の形態１）
図１は、この発明の実施の形態１における携帯電話機の第１の状態を示す平面図である。図２は、図１中に示す携帯電話機の背面図である。図３は、図１中の矢印ＩＩＩに示す方向から見た携帯電話機を示す側面図である。図４は、図１中の矢印ＩＶに示す方向から見た携帯電話機を示す側面図である。
【００２２】
図１から図４を参照して、携帯電話機１は、電話機能、メール機能およびカメラ機能を有する携帯機器である。携帯電話機１は、外側に露出する表面２ａを有し、その表面２ａに表示部１０が設けられた筐体２と、外側に露出する表面３ａを有し、その表面３ａにカメラ部１６が設けられた筐体３とを備える。筐体２は、表面２ａの反対側に位置する表面２ｂを有し、筐体３は、表面３ａの反対側に位置する表面３ｂを有する。筐体３は、筐体２に対して、表面２ｂおよび３ｂが向い合った状態で摺動できるように取り付けられている。
【００２３】
図１から図４に示す状態（第１の状態）で、筐体３は、筐体３の表面３ｂの全体が筐体２に隠れる位置に位置決めされている。この第１の状態は、ユーザーが携帯電話機１の電話機能を用いる際に、携帯電話機１がセットされる状態である。また、ユーザーが携帯電話機１をかばんなどに入れて持ち歩く場合にも、通常、携帯電話機１はコンパクトな第１の状態にセットされる。
【００２４】
図１を参照して、表面２ａは、略矩形形状に形成されており、長辺２ｍと短辺２ｎとを有する。表面２ａの中央付近に設けられた表示部１０は、液晶ディスプレイやＥＬ(electro luminescent）ディスプレイなどによって構成されている。携帯電話機１が第１の状態にある場合、表示部１０には、メモリ内に記憶されている電話帳の画面などが表示される。また、ユーザーが携帯電話機１を第１の状態にして持ち歩く場合、表示部１０には、適当な待ち受け画面などが表示される。
【００２５】
表面２ａには、表示部１０に隣り合って、十字キー１３が設けられている。ユーザーは、十字キー１３を操作することによって、表示部１０に表示されたカーソルを電話帳の希望する電話番号に移動させたり、その電話番号を選択して電話を掛けたり、電話番号の選択を取り消したりすることができる。
【００２６】
表面２ａには、長辺２ｍが延びる方向の両端に位置して、一方端２ｐおよび他方端２ｑが規定されている。表面２ａの一方端２ｐには、マイク用開口部１２が形成されている。表面２ａの他方端２ｑには、レシーバー用開口部１１が形成されている。マイク用開口部１２およびレシーバー用開口部１１の背面に位置して、筐体２の内部には、マイクとレシーバーが収容されている。ユーザーは、自分の耳がレシーバー用開口部１１に当たるように携帯電話機１を把持し、その状態でマイク用開口部１２に向けて声を発して会話を行なう。
【００２７】
図２を参照して、表面３ａの中央付近に設けられたカメラ部１６は、撮影レンズと、ＣＣＤ（charge coupled device）イメージセンサまたはＣＭＯＳ（complementary metal oxide semiconductor）イメージセンサなどの撮影素子と、ＲＧＢの３色のカラーフィルタとから構成されている。カメラ部１６では、被写体で反射されて撮影レンズに入射した光を、カラーフィルタを通してＲＧＢの３色光に変換し、ＲＧＢの３色光をそれぞれＣＣＤに入射させる。
【００２８】
表面３ａには、カメラ部１６に隣り合ってライト部が設けられていてもよい。ライト部は、カメラ部１６で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。
【００２９】
図４を参照して、筐体３の一対の側面には、筐体２と向い合う側に位置して溝１８が成形されている。溝１８は、略矩形形状を有する表面３ｂの長手方向に沿って延在している。筐体２には、溝１８に対して嵌り合うスライドレール１７が設けられている。スライドレール１７は、略矩形形状に形成された表面２ｂの長辺から突出している。溝１８にスライドレール１７が嵌った状態で筐体３を移動させることによって、筐体３を筐体２に対して摺動させることができる。
【００３０】
このように本実施の形態における携帯電話機１では、２つの筐体が回動自在に設けられたクラムシェルタイプの携帯電話機とは異なり、筐体２および３が摺動自在に組み合わされている。このため、複雑なヒンジ機構を用いることなく、スライドレール１７および溝１８といった簡易な機構で２つの筐体を連結することができる。これにより、携帯電話機１の製造コストを低減させることができる。
【００３１】
なお、第１の状態にセットした携帯電話機１を用いてメール機能を利用できても良く、たとえば、十字キー１３によって、メールの送受信等の簡単な操作を行なうことができても良い。この場合、通常、携帯電話機１が持ち歩く際にセットされるコンパクトな第１の状態でメール操作を行なうことができる。このため、メール機能の使用時の利便性を向上させることができる。
【００３２】
図５は、図１中に示す携帯電話機の第２の状態を示す平面図である。図６は、図５中の矢印ＶＩに示す方向から見た携帯電話機を示す側面図である。図５および図６を参照して、図５および図６に示す状態（第２の状態）で、筐体３は、筐体３の表面３ｂの一方端３ｐ側が筐体２から露出し、表面３ｂの他方端３ｑ側が筐体２に隠れる位置に位置決めされている。一方端３ｐおよび他方端３ｑは、表面３ｂの長手方向の両端に規定されている。
【００３３】
ユーザーは、図１に示す携帯電話機１の筐体３を矢印６（図１を参照のこと）に示す方向に摺動させることによって、携帯電話機１を第１の状態から図５および図６に示す第２の状態に変化させることができる。この第２の状態は、ユーザーが携帯電話機１のメール機能を用いる際に、携帯電話機１がセットされる状態である。
【００３４】
表面３ｂの一方端３ｐには、複数の１０−キー／メール入力キー２２が配置されたメール機能操作部２１が設けられている。携帯電話機１が第２の状態にある場合、表示部１０には、メモリ内に記憶されているメールのアドレス帳やメールの送受信の記録、メールの作成画面などが表示される。ユーザーは、１０−キー／メール入力キー２２を操作して、アドレス帳から送信先のアドレスを選択したり、メールを作成して送信したり、受信したメールをチェックしたりすることができる。
【００３５】
なお、図１および図５のそれぞれに示す第１および第２の状態において、表示部１０は、ユーザーが携帯電話機１を縦向きに把持した場合（表面２ａの短辺２ｎが水平方向に延びるように把持した場合）に正常に認識される向きに、画面表示されることが好ましい。この場合、ユーザーは、携帯電話機１を把持したまま親指で十字キー１３や１０−キー／メール入力キー２２を押下することができる。これにより、携帯電話機１を片手で把持して操作することが可能となり、電話またはメール操作する際の携帯電話機１の操作性を向上させることができる。
【００３６】
図７は、図１中に示す携帯電話機の第３の状態を示す平面図である。図８は、図７中のＶＩＩＩ−ＶＩＩＩ線上に沿った携帯電話機の断面図である。図７および図８を参照して、図７および図８に示す状態（第３の状態）で、筐体３は、筐体３の表面３ｂの一方端３ｐ側が筐体２に隠れ、表面３ｂの他方端３ｑ側が筐体２から露出する位置に位置決めされている。
【００３７】
ユーザーは、図１に示す携帯電話機１の筐体３を矢印７（図１を参照のこと）に示す方向に摺動させることによって、携帯電話機１を第１の状態から図７および図８に示す第３の状態に変化させることができる。この第３の状態は、ユーザーが携帯電話機１のカメラ機能を用いる際に、携帯電話機１がセットされる状態である。
【００３８】
図７を参照して、表面３ｂの他方端３ｑには、撮影条件を設定するための操作キー群２６と、シャッターボタン２７とから構成されるカメラ機能操作部２４が設けられている。操作キー群２６には、ライト部操作キー２６ｍ、接写機能操作キー２６ｎ、ズーム機能操作キー２６ｓおよび広角機能操作キー２６ｔが含まれる。携帯電話機１が第３の状態にある場合、表示部１０には、撮影条件を設定するためのメニュー画面や、カメラ部１６によって認識された画像が表示される。写真撮影を行なう場合、ユーザーは、まず、操作キー群２６を操作して適当な撮影条件を設定する。その後、カメラ部１６の撮影レンズを被写体に向け、表示部１０で撮影される被写体を確認しながらシャッターボタン２７を押下する。
【００３９】
なお、図７に示す第３の状態において、表示部１０は、ユーザーが携帯電話機１を横向きに把持した場合（表面２ａの長辺２ｍが水平方向に延びるように把持した場合）に正常に認識される向きに、画面表示されることが好ましい。この場合、ユーザーは、携帯電話機１を専用のデジタルカメラのように構えて写真撮影を行なうことができる。これにより、携帯電話機１をカメラとして用いる際の操作性を向上させるとともに、手ぶれのない鮮明な撮影を行なうことができる。
【００４０】
また、表面３ｂの他方端３ｑには、カメラ部１６とは異なる別のカメラ部が設けられていても良い。この場合、そのカメラ部と表示部１０とを用いて、携帯電話機１を使用するユーザー自身の姿を撮影したり、携帯電話機１をテレビ電話のように利用することができる。また、別に設けられるカメラ部は、表示部１０の近傍に位置して筐体２の表面２ａに設けられていても良い。
【００４１】
また、上述のとおり、表示部１０には、第１から第３の各状態でそれぞれ異なる操作部によって操作される複数種類の画面が表示されるが、この表示部１０の画面切り替えを筐体３が摺動する動きと連動させて自動的に行なってもよい。この場合、たとえば、筐体２および３の互いに向い合う所定位置に、磁石と、この磁石の存在を検知するホール素子とを設けると良い。ホール素子で検知される磁石の在り無しによって携帯電話機１が第１から第３のいずれの状態にあるかを判断し、この情報に基づいて表示部１０に適当な画面を表示させることができる。これにより、表示部１０の表示切り替えを行なう手間が省かれるため、携帯電話機１の操作性を向上させることができる。
【００４２】
また、筐体２および３の少なくともいずれか一方の表面、たとえば、表示部１０の周縁に位置した表面２ａに、長辺２ｍに沿った方向に帯状に延びる凹凸形状を形成しても良い。この場合、ユーザーは、携帯電話機１を片手で把持したまま指を凹凸形状部分に当て、筐体２および３を互いにスライド移動させることができる。このため、たとえば、携帯電話機１を第１の状態から第２の状態に変化させ、１０−キー／メール入力キー２２を操作する一連の作業を片手で行なうことができる。したがって、携帯電話機１の操作性をさらに向上させることができる。
【００４３】
図８を参照して、筐体２の内部には、マイク３１、レシーバー３２、液晶表示ユニット３４および十字キー１３の入力部などが実装された基板３０が収容されている。筐体２の表面２ａには、液晶表示ユニット３４の前方に位置して透明窓３３が嵌め込まれている。表示部１０は、液晶表示ユニット３４および透明窓３３によって構成されている。筐体３の内部には、メールおよびカメラ機能操作部２１および２４の入力部などが実装された基板４０が収容されている。
【００４４】
図９は、図７中のＩＸ−ＩＸ線上に沿った携帯電話機の断面図である。図１０は、図９中のＸ−Ｘ線上に沿った携帯電話機の断面図である。図９および図１０を参照して、筐体２の表面２ｂには、ロック用突起摺動部５３が形成されている。ロック用突起摺動部５３は、略矩形形状に形成された表面２ｂの長手方向に延びて溝状に形成されている。ロック用突起摺動部５３には、ロック用突起摺動部５３が延びる方向の両端および中央に位置して、ロック爪５２ａから５２ｃが設けられている。筐体３には、ロック用突起５１が形成されている。ロック用突起５１は、略矩形形状に形成された表面３ｂの長手方向の中央付近から突出している。ロック用突起５１がロック爪５２ｃに係止されることによって、携帯電話機１は、第３の状態に保持されている。
【００４５】
図１１は、図１０中に示す携帯電話機の第１の状態を示す断面図である。図１２は、図１０中に示す携帯電話機の第２の状態を示す断面図である。図１１および図１２を参照して、筐体３は、ロック用突起５１がロック用突起摺動部５３に嵌め込まれた状態で筐体２に対して摺動する。この際、ロック用突起５１がロック爪５２ｂに係止されることによって、携帯電話機１は第１の状態に保持され、ロック用突起５１がロック爪５２ａに係止されることによって、携帯電話機１は第２の状態に保持される。
【００４６】
携帯電話機１にこのようなロック機構を設けることによって、ユーザーが第１から第３の各状態で携帯電話機１を使用している際に、筐体２に対して筐体３の位置がずれることがない。このため、たとえば、第２の状態でメールを作成している時に、第３の筐体が摺動して１０−キー／メール入力キー２２の一部が筐体２に隠れてしまうということがない。これにより、携帯電話機１の使い勝手を向上させることができる。
【００４７】
図１３は、図７中のＸＩＩＩ−ＸＩＩＩ線上に沿った携帯電話機を示す断面図である。図１３を参照して、筐体２の内部に収容された基板３０と、筐体３の内部に収容された基板４０とは、帯状に延びるフレキシブルプリント基板６３によって互いに接続されている。筐体２および３の表面２ｂおよび３ｂには、表面２ｂおよび３ｂの長手方向に延在する開口部６１および６２がそれぞれ形成されている。フレキシブルプリント基板６３は、筐体２側から１８０°反転して開口部６１および６２を通り、筐体３側へと達している。
【００４８】
フレキシブルプリント基板６３によって基板３０と基板４０とは、電気的に接続されており、たとえば、カメラ部１６で入力された画像データがフレキシブルプリント基板６３を介して液晶表示ユニット３４に送られ、表示部１０に所定の画像が表示される。
【００４９】
図１４は、図１３中に示す携帯電話機の第２の状態を示す断面図である。図１４を参照して、筐体３を筐体２に対して摺動させると、フレキシブルプリント基板６３は、１８０°反転する位置を変えながら変形し、基板３０と基板４０とを接続した状態を維持する。本実施の形態では、クラムシェルタイプの携帯電話機とは異なり、筐体２および３が摺動自在に組み合わされている。このため、フレキシブルプリント基板６３をヒンジ内に通す必要がなく、組み立て工程を容易にすることができる。また、携帯電話機１を変形させた時に生じるフレキシブルプリント基板６３に対する負荷を軽減させることができる。
【００５０】
この発明の実施の形態１における携帯機器としての携帯電話機１は、外側に露出する第１の表面としての表面２ａを有し、表面２ａに表示部１０が設けられた第１の筐体としての筐体２と、筐体２に向い合う方向に面する第２の表面としての表面３ｂを有し、表面３ｂに第１および第２の操作部としてのメール機能操作部２１およびカメラ機能操作部２４が別々に設けられ、筐体２に対して摺動自在に取り付けられた第２の筐体としての筐体３とを備える。筐体３を筐体２に対して所定の方向に摺動させると、筐体３は、メール機能操作部２１およびカメラ機能操作部２４が筐体２に隠れた第１の状態から、メール機能操作部２１が外側に露出し、カメラ機能操作部２４が筐体２に隠れる第２の状態へと変化する。筐体３を筐体２に対して所定の方向とは反対方向に摺動させると、筐体３は、第１の状態から、カメラ機能操作部２４が外側に露出し、メール機能操作部２１が筐体２に隠れる第３の状態へと変化する。
【００５１】
表面３ｂは、一方端３ｐと他方端３ｑとを含む。メール機能操作部２１およびカメラ機能操作部２４は、一方端３ｐおよび他方端３ｑにそれぞれ配置されている。筐体３が第２および第３の状態に位置決めされた時、表示部１０は、メール機能操作部２１およびカメラ機能操作部２４によって操作される所定の画面にそれぞれ切り替わる。表面２ａには、少なくとも第１の状態で操作可能な第３の操作部としての十字キー１３が設けられている。
【００５２】
筐体２および３の少なくともいずれか一方の表面には、凹凸形状が形成されている。筐体２および３には、筐体３を第１から第３の状態のそれぞれの状態に保持するロック機構としてのロック爪５２ａから５２ｃおよびロック用突起５１が設けられている。第２の状態では、メール機能操作部２１によって電話機能およびメール機能の少なくともいずれか一方が操作され、第３の状態では、カメラ機能操作部２４によってカメラ機能が操作される。
【００５３】
表面２ａは、短辺２ｎと長辺２ｍとを有する略矩形形状に形成されている。第２の状態では、短辺２ｎが延びる方向と水平方向とが一致する場合に正常に認識されるように、表示部１０に所定の画面が表示され、第３の状態では、長辺２ｍが延びる方向と水平方向とが一致する場合に正常に認識されるように、表示部１０に所定の画面が表示される。
【００５４】
なお、本実施の形態では、携帯機器を携帯電話機１に適用した場合について説明を行なったが、本発明による携帯機器はこれに限定されない。携帯機器は、たとえば、ＰＤＡ（personal digital assistants）、ノート型パソコンおよびワードプロセッサなどであってもよい。
【００５５】
このように構成された携帯電話機１によれば、電話機能を用いる場合、メール機能を用いる場合およびカメラ機能を用いる場合とで、携帯電話機１を第１から第３の各状態に変化させている。そして、第１の状態では、電話機能を用いる際に必要のないメール機能操作部２１およびカメラ機能操作部２４を筐体２の裏側に隠し、第２の状態では、メール機能を用いる際に必要のないカメラ機能操作部２４を筐体２の裏側に隠し、第３の状態では、カメラ機能を用いる際に必要のないメール機能操作部２１を筐体２の裏側に隠している。このため、ユーザーは、使用する操作部を間違いなく把握でき、誤った操作部が操作されることを確実に防止できる。また、ひとつの操作キーに各機能間にまたがる複数の役割を分担させることがないため、誤った操作が行なわれることを防止できる。
【００５６】
また、メール機能操作部２１およびカメラ機能操作部２４は、表面３ｂの一方端３ｐおよび他方端３ｑにそれぞれ配置されている。このため、表面２ａ側から見た時の筐体２および３の大きさを同一にした場合であっても、第１から第３の各状態で所定の操作部を筐体２に隠れた状態にすることができる。これにより、携帯電話機１の小型化を図ることができる。
【００５７】
（実施の形態２）
この発明の実施の形態２における携帯電話機は、実施の形態１における携帯電話機１と比較して、基本的には同様の構造を備える。以下、重複する構造については説明を繰り返さない。
【００５８】
本実施の形態では、携帯電話機が第２の状態にある場合に、メール機能に加えて電話機能を使用することもできる。この場合、ユーザーは、筐体２から露出させた１０−キー／メール入力キー２２を操作して、電話番号を入力することができる。
【００５９】
このように構成された携帯電話機によれば、実施の形態１に記載の効果と同様の効果を奏するとともに、携帯電話機を電話として用いる場合の使い勝手をさらに向上させることができる。
【００６０】
図１５は、この発明の実施の形態２における携帯電話機の変形例を示す平面図である。図１５は、実施の形態１における図５に対応する図である。図１５を参照して、筐体３の表面３ｂには、一方端３ｐに位置してマイク７１が設けられている。このとき、レシーバー用開口部１１からマイク７１までの距離が、１６０ｍｍ以上１８０ｍｍ以下であることが好ましい。さらに、携帯電話機には、携帯電話機を第１の状態から第２の状態へと変化させると、起動状態が筐体２に設けられたマイク３１から筐体３に設けられたマイク７１に自動的に切り替わる切り替え機構が設けられていることが好ましい。
【００６１】
マイク７１を設けることによって、送話音声の品質を向上させることができる。特に、レシーバー用開口部１１からマイク７１までの距離が上述の範囲にある場合、レシーバー用開口部１１に耳を当てた状態でマイク７１を口元により近い位置に位置決めすることができる。このため、携帯電話機の第１の状態でのコンパクトな形状を維持したまま、送話音声の品質をさらに向上させることができる。
【００６２】
なお、この変形例では、第１および第２の各状態で使用されるマイク３１および７１を設けたが、マイク７１だけを筐体３に設け、筐体２には、マイク３１が設けられた位置に表面２ａから２ｂに達する開口を形成しても良い。この場合、携帯電話機の製造コストを低減させることができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６４】
【図１】この発明の実施の形態１における携帯電話機の第１の状態を示す平面図である。
【図２】図１中に示す携帯電話機の背面図である。
【図３】図１中の矢印ＩＩＩに示す方向から見た携帯電話機を示す側面図である。
【図４】図１中の矢印ＩＶに示す方向から見た携帯電話機を示す側面図である。
【図５】図１中に示す携帯電話機の第２の状態を示す平面図である。
【図６】図５中の矢印ＶＩに示す方向から見た携帯電話機を示す側面図である。
【図７】図１中に示す携帯電話機の第３の状態を示す平面図である。
【図８】図７中のＶＩＩＩ−ＶＩＩＩ線上に沿った携帯電話機の断面図である。
【図９】図７中のＩＸ−ＩＸ線上に沿った携帯電話機の断面図である。
【図１０】図９中のＸ−Ｘ線上に沿った携帯電話機の断面図である。
【図１１】図１０中に示す携帯電話機の第１の状態を示す断面図である。
【図１２】図１０中に示す携帯電話機の第２の状態を示す断面図である。
【図１３】図７中のＸＩＩＩ−ＸＩＩＩ線上に沿った携帯電話機を示す断面図である。
【図１４】図１３中に示す携帯電話機の第２の状態を示す断面図である。
【図１５】この発明の実施の形態２における携帯電話機の変形例を示す平面図である。
【符号の説明】
【００６５】
１  携帯電話機、２，３  筐体、２ａ，３ｂ  表面、２ｍ  長辺、２ｎ  短辺、３ｐ  一方端、３ｑ  他方端、１０  表示部、１３  十字キー、２１  メール機能操作部、２４  カメラ機能操作部、５１  ロック用突起、５２ａ，５２ｂ，５２ｃ  ロック爪、７１  マイク。
【図１】
2005286813.tif 000003
【図２】
2005286813.tif 000004
【図３】
2005286813.tif 000005
【図４】
2005286813.tif 000006
【図５】
2005286813.tif 000007
【図６】
2005286813.tif 000008
【図７】
2005286813.tif 000009
【図８】
2005286813.tif 000010
【図９】
2005286813.tif 000011
【図１０】
2005286813.tif 000012
【図１１】
2005286813.tif 000013
【図１２】
2005286813.tif 000014
【図１３】
2005286813.tif 000015
【図１４】
2005286813.tif 000016
【図１５】
2005286813.tif 000017